(57)【要約】【課題】  重力とは異なる力を推進力として、水を見かけ上自律的に移動させる物品の提供。【解決手段】  物品表面が、親水領域と疎水領域とを、それぞれ複数備えてなり、親水領域における親水性が前記表面の一定方向に向けて増加するか、もしくは疎水領域における疎水性が、前記一定方向に向けて減少するか、または親水領域における親水性の増加と、疎水性領域における疎水性の減少をともに生じさせ、もって一定方向に水が見かけ上自律的に移動する性質を有する物品において、親水領域の少なくとも一つが、近隣の他の親水領域よりも、幅が広いかまたは親水性が高いものとする。このような物品表面からは、水が効率よく排除される。【選択図】図２
2017225957.tif 000002
【特許請求の範囲】
【請求項１】
水と接触する表面を有する物品であって、
前記表面が、親水領域と疎水領域とを、それぞれ複数備えてなり、
前記親水領域における親水性が前記表面の一定方向に向けて増加するか、もしくは
前記疎水領域における疎水性が、前記一定方向に向けて減少するか、または
前記親水領域における親水性の増加と、前記疎水性領域における疎水性の減少をともに生じさせ、
もって当該方向に水が見かけ上自律的に移動する（以下、この方向を「水移動方向」という）性質を有し、かつ
前記親水領域の少なくとも一つが、近隣の他の親水領域よりも、幅が広いかまたは親水性が高い(以下、この領域を「高親水領域」という)ことを特徴とする、物品。
【請求項２】
前記親水性の増加または前記疎水性領域における疎水性の減少が、前記親水領域の前記疎水領域に対する面積比率（以下、「親水疎水面積比」という）を前記一定方向に向けて増加するよう構成することによって生じる、請求項１に記載の物品。
【請求項３】
前記親水性の増加または前記疎水性領域における疎水性の減少が、前記一定方向に向けて、前記親水領域の単位面積当たりにおける水への親和性が増加するよう、または前記疎水領域の単位面積当たりにおける水への親和性が増加するよう構成することによって生じる、請求項１に記載の物品。
【請求項４】
前記親水領域と前記疎水領域とが、前記水移動方向と略直交する方向（以下「横方向」という）に隣り合わせに並んで配置されてなる、請求項１〜３のいずれか一項に記載の物品。
【請求項５】
前記高親水領域の近隣に配置される複数の前記親水領域の幅またはその親水性が同じである、請求項１〜４のいずれか一項に記載の物品。
【請求項６】
前記高親水領域の近隣に配置される複数の前記親水領域の幅またはその親水性が、前記高親水領域から遠ざかるに従い、幅またはその親水性が減少する、請求項１〜４のいずれか一項に記載の物品。
【請求項７】
前記高親水領域が複数存在する、請求項１〜６のいずれか一項に記載の物品。
【請求項８】
前記高親水領域が周期的に出現する、請求項７に記載の物品。
【請求項９】
前記高親水領域の近隣に配置される複数の前記親水領域の幅またはその親水性が周期的に変化する、請求項８に記載の物品。
【請求項１０】
前記親水領域および前記疎水領域が、水移動方向に長い形状である、請求項１〜９のいずれか一項に記載の物品。
【請求項１１】
水まわり部材である、請求項１〜１０のいずれか一項に記載の物品。
【発明の詳細な説明】
【技術分野】
【０００１】
本発明は、水が見かけ上自律的に移動し、その表面から排除される物品に関し、詳しくは、表面に付着した水が水平面でも重力や動力等の利用無しに特定の方向へ移動し、その表面から排除される物品に関する。
【背景技術】
【０００２】
水と接触する物品、例えば水まわり部材や、ユニットバスの床、天井板の表面に付着した水は、量が多い場合、重力により排水溝まで導かれ排除されるが、残った水は、ふき取るか、自然乾燥により除かれる。ふき取りには手間を用意し、自然乾燥には時間がかかる、あるいはウォータスポット、水垢の原因になるなど、場合により望ましくない水排除の方法である。したがって、水と接触する物品の表面から水を、好ましくは速やかに、排除する技術について種々の提案がなされている。
【０００３】
例えば、特開２００３−３９０１３号公報（特許文献１）には、その表面に凹凸を形成し、凸部には撥水塗料層を形成し、凹部には親水塗料層を形成した水まわり部材が開示されている。このような構造においては、撥水塗料層により水がはじかれるため、水は溝状の凹部内に流れ込み、この凹部に形成されている親水塗料層４により水が広がって、表面張力で玉状となる水が発生せず、良好に凹部に沿って流され排水される。
【０００４】
また、特開２００８−３１６６５号公報（特許文献２）には、オンデマンド方式により塗装した塗装層の各部における水に対する性質を異ならせ、ある部分においては相対的に水をはじき、且つ、他の部分においては、水を薄く膜状に広げるようにし、両者の組み合わせにより、水を素早く排水することが可能となる水まわり部材が開示されている。
【０００５】
上記特許文献に開示された技術はいずれも、撥水性の領域にかかった水が弾かれて親水性領域に移動し、この親水性領域において水が濡れ広がる作用を利用する。そして最終的な部材表面からの排水のためには、基材に傾斜があることが前提であり、重力の作用により水は親水性領域を移動する。
【０００６】
また、特開２００５−７４４号公報（特許文献３）には、トンネル形状の流路の一面を親水面と疎水面とで構成し、親水面に対して疎水面を除した値を上流から下流に向け連続的に増加させ液滴を輸送するマイクロ液滴輸送デバイスが開示されている。このデバイスによれば、液滴を一方向に輸送することができるとされているが、親水面と疎水面を三角形のパターンで形成するとき、底辺が１μｍから２００μｍ、高さが１０μｍから２００μｍの三角形とするとの記載があり、また輸送される液滴は血液などの生体由来のものである。また、特開２００５−３３１４１０号公報（特許文献４）には、上流側に第１の疎水面が、下流側に第１の疎水面より接触角が小さい第２の疎水面が、そして上流側と下流側の中間部に第１の疎水面および第２の疎水面が混在した面が形成され、上流から下流に向け第２の疎水面の面積を連続的に増加させた流路により、液滴を輸送する微量液滴輸送デバイスが開示されている。このデバイスによれば、異なる疎水領域によって流路に構築される表面張力勾配により、疎水性の官能基を有するタンパク質などの生体分子を含む微量液滴を輸送することができるとされているが、中間部の形状を第１の疎水面と第２の疎水面とが交互にくさび形状で並べたものとするとき、このくさび形状の寸法は、底辺が１０μｍから１ｍｍ、長さが１０μｍから３０ｍｍであると記載されている。従って、これらの特許文献に開示された技術はいずれも、極めて微量の血液等をわずかな距離、移送させる技術に止まり、建材などの大きな表面において水を移送する技術を開示するとは言い難いものである。
【０００７】
また、本発明者を含む者らは、建材表面の親水領域の疎水領域に対する面積比率を一定方向に向けて増加するよう制御することで、水を見かけ上自律的に移動させる技術を提案している（２０１６年３月２９日出願、ＰＣＴ／ＪＰ２０１６／６０２３８号出願（特許文献５））。
【先行技術文献】
【特許文献】
【０００８】
【特許文献１】特開２００３−３９０１３号公報
【特許文献２】特開２００８−３１６６５号公報
【特許文献３】特開２００５−７４４号公報
【特許文献４】特開２００５−３３１４１０号公報
【特許文献５】ＰＣＴ／ＪＰ２０１６／６０２３８号出願
【発明の概要】
【発明が解決しようとする課題】
【０００９】
本発明者らは、今般、重力とは異なる力を推進力として、水を見かけ上自律的に移動させる、先に提案した物品を改変・改良し、表面から水をより効率よく排除できる本発明を完成させた。
【００１０】
従って、本発明は、表面に付着した水を水平面でも重力や動力等の利用無しに特定の方向へより効率よく移動させ、その表面から排除される物品の提供を目的としている。
【課題を解決するための手段】
【００１１】
そして、本発明による物品は、
水と接触する表面を有する物品であって、
前記表面が、親水領域と疎水領域とを、それぞれ複数備えてなり、
前記親水領域における親水性が前記表面の一定方向に向けて増加するか、もしくは
前記疎水領域における疎水性が、前記一定方向に向けて減少するか、または
前記親水領域における親水性の増加と、前記疎水性領域における疎水性の減少をともに生じさせ、
もって当該方向に水が見かけ上自律的に移動する（以下、この方向を「水移動方向」という）性質を有し、かつ
前記親水領域の少なくとも一つが、近隣の他の親水領域よりも、幅が広いかまたは親水性が高い（以下、この領域を「高親水領域」という）ことを特徴とするものである。
【図面の簡単な説明】
【００１２】
【図１】本発明による物品の表面の一態様を示す模式図である。図中、物品の表面１００ａ上に、疎水領域１１が三角形の形状で複数形成され、さらに親水領域が逆三角形の形状で形成されている。ここで、複数の親水領域のうち、領域１２１の幅が、近隣の他の親水領域１２２よりも広く構成され、すなわち「高親水領域」とされる。
【図２】図１の物品の表面に置かれた水の見かけ上の自律的移動を説明する図である。
【図３】物品の表面における複数の親水領域および複数の疎水領域が略同じ形状であるが、領域１２１の親水性の程度を近隣の他の親水領域１２２よりも高くした態様を説明する図である。
【図４】親水領域の面積を変える態様と、単位面積当たりにおける水への親和性を変える態様とを組み合わせた物品の説明図である。
【図５】高親水領域１２１の隣と親水領域１２２はその幅が、高親水領域に比して狭くなり、さらにその隣の親水領域１２３にあっては、その幅がさらに狭く構成された態様の説明図である。
【図６】高親水領域１２１から遠ざかるに従い、親水領域の幅が減少するよう構成された態様の説明図である。
【図７】高親水領域１２１が複数、好ましくは周期的に出現する物品表面の説明図である。
【図８】本発明による単位を複数繋ぎ合わせた態様の説明図である。
【図９】本発明による単位を複数繋ぎ合わせた態様の説明図であり、複数の単位１００ａが互いに左右方向にずれて並ぶ態様である。
【図１０】本発明による単位を複数繋ぎ合わせた態様の説明図であり、複数の単位１００ａが互いに上下方向にずれて並ぶ態様である。
【発明を実施するための形態】
【００１３】
上記したように、本発明は、先に提案したＰＣＴ／ＪＰ２０１６／６０２３８号出願に記載の発明を改変・改良したものであり、本発明と矛盾しない限り、上記先の出願の明細書に開示は本明細書の開示に一部として本発明の説明とする。すなわち、上記先の出願の明細書の開示は引用することにより、本明細書の開示の一部とされる。
定義
本発明において、「水と接触する表面を有する物品」とは、降雨により、または人による水を使った所定の作業・動作時またはその後に、その表面に水が残る可能性がある物品を意味する。本発明の一つの態様によれば、この物品により建材を構成することができ、例えば、外壁材；浴室やシャワールームの内壁、天井および床材；浴槽；洗面器や手洗器（例えば、ボウル面や縁）；シンク；便器；水栓；テーブル、ドラフト、カウンターなどに用いられる天板；鏡、窓などのガラス部材；内壁材などが挙げられる。カウンターの例としては、手洗い場、洗面所および浴室で用いられるカウンター、キッチンカウンター、実験室で用いられるカウンター、ドラフトチャンバーのカウンター等が挙げられる。とりわけ、本発明による建材は、浴室やシャワールームの内壁、天井および床材；浴槽；洗面器や手洗器（例えば、ボウル面や縁）；シンク；便器；水栓；テーブル、ドラフト、カウンターなどに用いられる天板；鏡、窓などのガラス部材；手洗い場、洗面所および浴室で用いられるカウンター、キッチンカウンター、実験室で用いられるカウンター、ドラフトチャンバーのカウンターなど、いわゆる「水まわり部材」と呼ばれる建材として好ましく用いられる。
【００１４】
本発明において物品の材質・材料は特に限定されないが、例えば、ガラス、プラスチック、タイル、石、金属、木材、セラミック等が挙げられる。さらに、これら材料に塗装が施されたもの、プラスチックが積層されたもの（例えば、積層鋼板、塗装鋼板等の複合材）なども利用可能である。
【００１５】
物品の表面および水移動
本発明による物品の表面は、親水領域と疎水領域とを、複数備えてなり、親水領域における親水性が物品の表面の一定方向に向けて増加するか、もしくは疎水領域における疎水性が、物品の表面の一定方向に向けて減少するか、またはこの親水領域における親水性の増加と疎水性領域における疎水性の減少をともに生じさせるよう構成される。ここで、親水性の増加または前記疎水性領域における疎水性の減少は、本発明に好ましい態様によれば、次の二つのいずれかにより生じさせる。すなわち、その１の態様として、親水領域の疎水領域に対する面積比率（以下、「親水疎水面積比」という）を物品の表面の前記一定方向に向けて増加するよう構成することによって生じさせる。また、その２の態様として、物品の表面の前記一定方向に向けて、親水領域の単位面積当たりにおける水への親和性が増加するよう、または疎水領域の単位面積当たりにおける水への親和性が増加するよう構成することによって生じさせる。このような表面において、水が見かけ上自律的に移動する機序は、以下のように考えられるが、この理論は仮定であって、本発明はかかる理論に限定されるものではない。
【００１６】
本発明による物品の表面は親水領域と疎水領域を含み、この親水領域と疎水領域の双方に接するように水が置かれたとき、水には疎水領域からの押される力と、親水領域からの引かれる力とが作用する。上記その１の態様にあっては、この親水領域の疎水領域に対する面積比が一定方向に変化し、水は親水領域の面積比の大きな側に引かれる。また、上記その２の態様にあっては、この親水領域または疎水領域の水に対する親和性が一定方向に変化し、水への親和性が相対的に増加する方向に引かれる。これらの力を推進力とし、その表面において水が見かけ上自律的に移動するものと考えられる。この推進力は重力とは異なるものであり、表面が水平であって水に対して重力がなんら水平方向への力を作用させない環境下にあっても、水が移動する。また、表面に傾斜があり、あるいは垂直である場合には、水の見かけ上の自律的移動方向と重力との双方の力によって、より効率よく水を移動させることも可能である。本発明の一つの態様によれば、水平面において５ｍＬ以上の比較的大きな水滴あるいは水のまとまりを、少なくとも数ｃｍ〜５ｃｍ以上移動させることが可能である。
【００１７】
さらに本発明にあっては、親水領域の少なくとも一つが、近隣の他の親水領域よりも、幅が広いかまたは親水性が高い(以下、この領域を「高親水領域」という)ものとされる。これにより、上記した水の見かけ上の自律的移動をより効率よく行わせることができる。このような高親水領域があることで、水にその周囲から加わる力は等しいものとはならず、局所的に強くまたは弱くなる。このような加わる力の偏在により、水（液滴）を変形し、移動の契機が与えられる。水（水滴）には、上記した本発明の水の見かけ上の自律的移動を促す力の他に、水滴の表面張力による液滴形成の力、物品の表面からの引っ張り力または反発力が加われるが、これら力が時に均衡して、水の量が少量のときにとりわけ水の動きが止まってしまうことがあり得る。これに対し、本発明にあっては、高親水領域を設けることで、親水領域間でも親水性の勾配が生じ、その均衡を崩す力とすることができ、その結果、水は、例えば少ない水量であっても効率よく移動可能になると考えられる。また、高親水領域に水を誘導することで、水の移動方向を制御することも可能になると考えられる。以下においてさらに、本発明の具体的態様およびその作用効果を説明する。
【００１８】
親水疎水面積比を変える態様（上記その１の態様）と、高親水領域との組み合わせ
本発明における「高親水領域」の存在の前提となる、「親水疎水面積比」の概念、およびそれを変える手法を具体的に説明しながら、本発明の最初の態様を以下説明する。
【００１９】
本発明において、親水領域および疎水領域は、複数の疎水領域が水移動方向を長手方向に向けて、並列し、好適には水移動方向と平行に並び、当該複数の疎水領域の間に親水領域が配置され、言い換えれば複数の親水領域が水移動方向を長手方向に向けて、並列し、好適には水移動方向と平行に並び、当該複数の親水領域の間に疎水領域が配置されて形成される。その具体的態様を、図１を参照しながら説明する。
【００２０】
図１は、本発明による物品の表面における、複数の親水領域および複数の疎水領域が形成された状態を表す模式図である。図１において、物品の表面１００ａ上に、疎水領域１１が三角形の形状で複数形成され、さらに親水領域が逆三角形の形状で形成されている。ここで、複数の親水領域のうち、領域１２１の幅が、近隣の他の親水領域１２２よりも広く構成され、すなわち「高親水領域」とされる。
【００２１】
次に図２は、図１の物品の表面に置かれた水の見かけ上の自律的移動を説明する図である。図中の領域Ａにおいて、親水疎水面積比は図の上の方向に向けて増加し、さらにこの領域Ａと領域Ｂとを比較すると、親水疎水面積比は領域ＡからＢに向けて増加する。このような表面に水２０が置かれると、この水に対して疎水領域１１側から押し出される力３１が働き、親水領域１２側からは引かれる力３２が働く。これら双方の力を推進力として、水２０は図の下から上方向に移動する。本発明において、親水疎水面積比が増加するこの方向、すなわち水２０が移動する方向を「水移動方向」と定義する。また本明細書において、親水疎水面積比が小さい領域またはその側を上流と、また親水疎水面積比が大きな領域またはその側を下流と表現することがある。また、本発明において、疎水および親水とは、上記の水２０に対する推進力を生じさせる限りにおいて相対的な意味で用いられ、例えば水との接触角として絶対的な値で表現させる性質を意味するものではないが、本発明の好ましい態様によれば、親水領域は水との静的接触角として０°以上１２０°以下とされ、疎水領域は水との静的接触角として４０°以上１８０°以下の範囲に置かれる。
【００２２】
本発明にあっては、親水疎水面積比を変えながら、さらに高親水領域を形成する。図２の態様にあって、親水疎水面積比は、上下方向に変化すると同時に、親水領域１２１と１２２とのその面積の相違から、図の左右方向においても親水疎水面積比は変化する。その結果、他の親水領域よりも親水性が高くなる高親水領域に水はより引き寄せられる。このような高親水領域を設けることで、親水領域間でも親水性の勾配が生じ、例えば少ない水量であっても効率よく移動可能になると考えられる。また、高親水領域に水を誘導することで、水の移動方向を制御することも可能になる。また、この高親水領域の方向に水を誘導することも可能になる。
【００２３】
上記のように図２の態様において、親水疎水面積比が増加するこの方向を「水移動方向」と定義するが、水２０が移動する方向は、やや高親水領域に向くことになる。この意味で、親水領域と疎水領域とが並ぶ、図における左右方向と水移動方向は正確に直交する（９０度をなす）ものに限られず、両者は略直交するものとなる。本明細書にあって、この親水領域と疎水領域が並ぶ方向を「横方向」ということがあるが、水移動方向との関係では、このように定義された方向を意味する。
【００２４】
本発明において、親水領域および疎水領域の形成は次のように行うことができる。例えば、図１の態様において、物品表面１００ａはそれ自体親水性の性質を有する表面とし、疎水領域１１を塗装により形成した塗装層とする。また、別の態様によれば、疎水領域のみならず、親水領域を塗装層として形成してもよい。また、物品表面１００ａが疎水性表面である場合、親水領域１２１、１２２を塗装層として形成してもよい。
【００２５】
疎水領域を塗装層とする場合、この塗装層は、疎水性樹脂塗料（例えば、シリコーン樹脂、フッ素樹脂、アクリル樹脂、メラミン樹脂、複合樹脂）、無機系塗料（例えば、シリコーン塗料）、疎水性光触媒塗料などで形成してよい。また、親水領域を塗装層とする場合、この塗装層は、親水性樹脂塗料、無機塗料、親水性光触媒塗料などで形成してよい。塗装層の形成方法は特に限定されないが、インクジェット、スクリーン印刷、ロト印刷、グラビア印刷等の手法により形成されてよい。
【００２６】
本発明の好ましい態様によれば、塗装層としての親水領域、疎水領域を、ドットの集合体として形成する。例えば、インクジェット方法により親水性または疎水性の物質を適用して、ドットを形成してもよい。特断らない限り、本態様に止まらず、本発明において親水領域または疎水領域をドットで形成した場合、親水領域および疎水領域の面積とは、その領域を形成するドットの面積の和として表現され、そのドットの面積の和を比較することにより、親水疎水面積比が定義される。
【００２７】
図３は、本発明の別の態様の物品を表す図であり、本発明による物品の表面における、複数の親水領域および複数の疎水領域が、それぞれ三角形の形状で形成された態様の模式図である。図１および図２にあっては、高親水領域は他の親水領域に比して幅を広く、すなわち面積を大きくすることで形成したが、この態様にあっては、形状が略同じ複数の親水領域のうち、領域１２１の親水性の性質の程度を、近隣の他の親水領域１２２よりも高くする。図３（Ｂ）は、図３（Ａ）のＡ−Ａ箇所における親水性の程度を高さ方向に模式的に表したものである。領域１２１の親水性が最も高く構成され、すなわち「高親水領域」とされる。
【００２８】
図３の態様にあっては、このように構成された結果、物品の表面の親水性は図の上の方向に向けて増加し、さらに図２の場合と同様に、図の上の領域と下の領域とを比較すると、親水性の程度は図の下から上に向けて増加することなる。このような親水性の変化により、この図の態様にあっても、図２の態様における場合と同様に水は見かけ上自律的に移動を行う。
【００２９】
図３の態様において、高親水領域は、それを形成する材料の種類または量を他の親水領域のものとは変えて形成することにより、高親水領域の親水性の程度が他の親水領域の親水性とは異なるものとすることができる。本態様についても、塗装層を形成する塗料および塗装層の形成方法は上記したものと同様のものが挙げられる。本発明の好ましい態様によれば、親水領域および高親水領域を、ドットの集合体として形成する。例えば、インクジェット方法により親水性の物質を適用して、ドットを形成してもよい。親水性を、ドットの粗密により、あるいはドットの径および／または間隔を変えることで容易に変化させることができるからである。
【００３０】
また、本発明の一つの好ましい態様によれば、この塗装層は可視光に対して透明であることが、物品の意匠に影響を与えない、あるいはそれを損ねないとの観点から好ましい。
【００３１】
本発明のこの態様において、親水領域および疎水領域は一つの水滴に接するように構成されていることが好ましく、例えば、浴室におけるシャワー使用による水滴付着を想定した場合、その水滴の付着サイズが５ｍｍ〜１００ｍｍとすれば、親水領域または疎水領域の最大幅は、すなわち水移動方向と直交する方向のサイズが最大となる箇所では、２ｍｍ〜５０ｍｍとすることが好ましい。言い換えれば、各領域の最大幅は、液滴のサイズの半分よりも小さいものとされることが好ましい。
【００３２】
単位面積当たりにおける水への親和性を変える態様（上記その２の態様）と、高親水領域との組み合わせ
さらに本発明の別の態様によれば、上記その２の態様と、高親水領域とが組み合わされた表面を有する物品が提供される。本発明における「高親水領域」の存在の前提となる、「親水性の増加または疎水性領域における疎水性の減少が、一定方向に向けて、親水領域の単位面積当たりにおける水への親和性が増加するよう、または疎水領域の単位面積当たりにおける水への親和性が増加するよう構成する」の概念、およびそれを変える手法を具体的に説明しながら、本発明の別の態様を以下説明する。
【００３３】
図４は、本発明の別の態様を説明する図である。この態様は、単位面積当たりにおける水への親和性を変える態様と、高親水性領域とが組み合わされてなる。図４は、本発明による物品の表面における、複数の親水領域および複数の疎水領域が、矩形に形成された状態を表す模式図である。図において、物品の表面１００ａ上に、矩形の疎水領域１１が複数形成され、さらに矩形の親水領域１２１および１２２が複数形成されている。ここで、複数の親水領域のうち、領域１２１の幅が、近隣の他の親水領域１２２よりも広く構成され、すなわち「高親水領域」とされる。さらにこの態様にあっては、疎水領域１１が、図では９の領域１１１〜１１９に分けられ、それぞれの水への親和性の程度が異なり、この態様にあっては１１１から順に親水性の程度が上がる、つまり疎水性が低下するよう構成される。すなわち、図にあっては、黒からグレー、そして白になるにつれて、疎水性の程度が低くなる、すなわち親水性の程度が高まる、ことを意味する。
【００３４】
図４の態様にあっては、このように構成された結果、物品の表面の親水性は図の上の方向に向けて増加し、さらにこの領域Ａと領域Ｂとを比較すると、親水性の程度は領域ＡからＢに向けて増加することなる。このような親水性の変化により、この図の態様にあっても、図２の態様における場合と同様に水は見かけ上自律的に移動を行う。
【００３５】
本発明のこの態様において、親水領域または疎水領域内で区分される各領域の大きさは、一つの水滴が、少なくとも２つ以上の領域、より望ましくは、３つ以上の領域をまたがるものとされることが好ましい。例えば、浴室におけるシャワー使用による水滴付着を想定した場合、その水滴の付着サイズが５ｍｍ〜１００ｍｍとすれば、各領域は水移動方向に沿って２ｍｍ〜５０ｍｍとすることが好ましく、そのような領域を複数連ねて、数ｃｍ以上に水を移動させることが可能な表面を形成することが、より好ましい。さらに、親水領域と疎水領域とが一つの水滴に接するように構成されていることが好ましく、例えば、浴室におけるシャワー使用による水滴付着を想定した場合、その水滴の付着サイズが５ｍｍ〜１００ｍｍとすれば、親水領域または疎水領域の幅、すなわち水移動方向と直交する方向のサイズは、２ｍｍ〜５０ｍｍとすることが好ましい。また、以上を言い換えれば、各領域のサイズは、液滴のサイズの半分よりも小さいものとされることが好ましい。
【００３６】
さらに、親水領域１２１と１２２とのその面積の相違から、図の左右方向においても親水性は変化する。その結果、他の親水領域よりも親水性が高くなる高親水領域に水はより引き寄せられる。このような高親水領域を設けることで、親水領域間でも親水性の勾配が生じ、例えば少ない水量であっても効率よく移動可能になると考えられる。また、高親水領域に水を誘導することで、水の移動方向を制御することも可能になる。また、この高親水領域の方向に水を誘導することも可能になる。
【００３７】
図４の態様において、親水領域および疎水領域の形成は次のように行うことができる。例えば、物品表面１００ａはそれ自体親水性の性質を有する表面とし、疎水領域１１を塗装により形成した塗装層とする。ここで、疎水領域１１１〜１１９を、疎水性の程度の異なる領域とするため、その種類または量を変えて形成する。また、別の態様によれば、疎水領域のみならず、親水領域を塗装層として形成してもよい。
【００３８】
本発明の別の態様によれば、上記その２の態様と組み合わされる「高親水領域」は、他の親水領域とその形状が略同じとされるが、その親水性の性質の程度を、近隣の他の親水領域よりも高くするよう構成されてもよい。
【００３９】
本態様についても、塗装層を形成する塗料および塗装層の形成方法は上記したものと同様のものが挙げられる。
【００４０】
図４の態様において、本発明の好ましい態様によれば、塗装層としての疎水領域を、ドットの集合体として形成することもできる。ただし、このようにして形成したものは本発明の「その１の態様」にも包含される。例えば、インクジェット方法により疎水性の物質を適用して、親水性の表面にドットを形成するか、または、親水性の物質および疎水性の物質を適用してドットを形成してもよい。本態様において疎水領域をドットの集合体として形成した場合、疎水領域の面積とは、その領域を形成する疎水性の物質を適用したドットの面積の和として表現され、そのドットの面積の和と、疎水性の物質が覆われていない親水性の表面の面積、または、親水性の物質を適用して形成されたドットの面積の和と、を比較することにより、親水疎水面積比が定義される。すなわち、図にあっては、黒からグレー、そして白になるにつれて、疎水性のドットの面積比が小さくなることを意味する。
【００４１】
高親水領域の近隣の親水領域の親水性をさらに変化させる態様
図１および図２に示される態様にあっては、高親水領域の近隣に配置される複数の親水領域の幅（形状）は同じであるが、本発明の別の態様によれば、高親水領域の近隣に配置される複数の親水領域の幅を変化させてもよい。例えば、高親水領域から遠ざかるに従い、幅が減少するよう構成してよい。図５は、その一つの態様を示すものである。図において、高親水領域１２１の隣と親水領域１２２はその幅が、高親水領域に比して狭くなり、さらにその隣の親水領域１２３にあっては、その幅がさらに狭く構成されてなる。この態様にあっては、高親水領域方向への見かけ上の自律的移動が促進される。
【００４２】
図５と同様に、図４の態様において、さらに高親水領域の近隣に配置される複数の親水領域の幅を変化させてよい。図６は、高親水領域から遠ざかるに従い、幅が減少するよう構成された態様の説明図である。図において、高親水領域１２１の隣と親水領域１２２はその幅が、高親水領域に比して狭くなり、さらにその隣の親水領域１２３にあっては、その幅がさらに狭く構成されてなる。この態様にあっては、高親水領域方向への水の見かけ上の自律的移動が促進される。この態様は、親水領域の幅を徐々に変化させることで親水性の程度を変化させたが、本発明の別の態様によれば、幅を同じとしながら、あるいは幅を変化させることに加えて、親水性の程度を徐々に変化させ、高親水領域方向への水の見かけ上の自律的移動を促すようにされてもよい。
【００４３】
本発明の別の態様によれば、高親水領域の近隣に配置される複数の親水領域のその形状または幅は略同じとされるが、その親水性の性質の程度を変化させることで、高親水領域から遠ざかるに従い、親水性の程度が減少するよう構成してよい。
【００４４】
複数の組み合わせ
本発明の好ましい態様によれば、以上説明した構成（以下、「本発明による単位」ということがある）を複数繋ぎ合わせて物品の表面とすることができる。その結果、例えば、図７に示されるとおり、高親水領域１２１が複数、好ましくは周期的に出現する物品表面を形成することができる。
【００４５】
さらに、本発明による単位を複数繋ぎ合わせることで、より長い距離にわたり水を見かけ上自律的に移動させることができる。図８は、本発明による単位を複数繋ぎ合わせた態様の説明図である。図において、単位１００ａが複数、領域２０をそれぞれの間およびその周囲において繋ぎ合わされてなる。ここで領域２０は親水性の領域とされることが好ましい。この態様にあって、領域２０は、単位１００ａ上で移動してきた水が一旦この領域に留まり、さらに次の単位１００ａに水を供給する領域となる。単位１００ａを移動し、領域２０に留まり、さらに次の単位１００ａを移動することで、水を長い距離にわたり移送することができる。図９および１０は、複数の単位１００ａが互いに左右または上限方向にずれて並ぶ態様である。単位がずれて並ぶことにより、水が引き寄せられる方向が一定でなくなるため、複雑な力が水に加わり、とりわけ水の量が少量のときに水の動きが止まってしまうことを有効に防止できるものと考えられる。
【実施例】
【００４６】
本発明を以下の実施例によって更に詳細に説明するが、本発明はこれら実施例に限定されるものではない。
【００４７】
実施例１
２５ｍｍ×７５ｍｍのスライドガラス表面を水との接触角が５度以下になるまで洗浄し乾燥した。大阪有機化学工業LAMBIC771Wを１重量％となるように純水で希釈し、親水性インクとした。ポリジメチルシロキサンを含むシリコーンオイルとアルコキシシリル基を含有するシリコーンレジン（信越シリコーンＫＲ４０１）とを、重量比が１：９となるように混合し、その混合液が２０重量％となるように２−プロパノールで希釈し、疎水性インクとした。インクジェット装置を用いて各インクをスライドガラスに塗着させ、複数の線が並んで全体として二等辺三角形の形状となる塗装層として、それぞれ親水領域および疎水領域を形成した。
【００４８】
インクジェット装置により吐出されるインク量は一定とし、一本の線の幅を０．０２−０．０３ｍｍに設定した。三角形の高さ方向に線を描画して、隣り合う線の長さ方向の中心軸間距離を０．０６ｍｍで複数の線を並べることで、底辺の長さ１．０ｍｍ、高さ５０ｍｍ、頂角部分の先端幅０．１ｍｍの、略三角形の塗装層を得た。複数の親水領域は、底辺を揃えて０．１２ｍｍの間隔で配列された。
【００４９】
さらに、配列される複数の三角形状の親水領域のうち、中央に位置する親水領域についてのみ、三角形の底辺の長さを１．３ｍｍとし、残る２辺同士が交わる先端の幅を０．３ｍｍとして、拡幅した親水領域を形成した。
【００５０】
疎水領域は、底辺の長さを１．０ｍｍ、高さ５０ｍｍ、頂角部分の先端幅が０．１ｍｍの、略三角形とし、その頂角が二つの親水領域の底角と底角との間にあるように、かつ、親水領域の頂角が二つの疎水領域の底角と底角との間にあるように、配置した。
【００５１】
このように、親水領域と疎水領域とを、斜辺が対向するように、交互に配置することで、図１に示されるような、親水疎水領域の面積比が一方向に変化するパターンを形成したスライドガラスを得た。
【００５２】
比較例１
中央の親水領域を他の親水領域と同じ形状の三角形とした以外は実施例１と同様に作製した。
【００５３】
評価
上記の実施例１および比較例１のスライドガラスの長辺方向の中心線に沿って、マイクロピペットで蒸留水約０．０２５ｍＬを長辺方向に１０ｍｍ間隔で滴下した。
【００５４】
実施例１のスライドガラスにおいて、滴下した液滴は、最も親水領域の面積比が大きい部分に滴下した液滴が大きく変形し、その液滴の縦横寸法比は、１．４であった。さらにこの液滴から３つ目の液滴、つまり、最も疎水領域の面積比が大きい方向に向かって３０ｍｍ離れた部分に滴下した液滴にまで変形が認められ、当該３つめの液滴の縦横寸法比は、１．３であった。
【００５５】
比較例１のスライドガラスにおいて、滴下した液滴は、最も親水領域の面積比が大きい部分に滴下した液滴が変形し、その液滴の縦横寸法比（スライドガラスの長辺方向での最大長さ／短辺方向での最大長さ）は、１．３であった。
【図１】
2017225957.tif 000003
【図２】
2017225957.tif 000004
【図３】
2017225957.tif 000005
【図４】
2017225957.tif 000006
【図５】
2017225957.tif 000007
【図６】
2017225957.tif 000008
【図７】
2017225957.tif 000009
【図８】
2017225957.tif 000010
【図９】
2017225957.tif 000011
【図１０】
2017225957.tif 000012